(57)【特許請求の範囲】
【請求項１】
電気コネクタであって、
第２のハウジングと接合するように構成された第１のハウジングであって、前端部及び対向する後端部を有する、第１のハウジングと、
該第１のハウジング上に移動可能に取り付けられた一対の摺動部材であって、各摺動部材は第１の側面及び第２の側面と、前記第１の側面にあり、各摺動部材の下端部から、各摺動部材の前端部に向かって上方かつ前方に延在するカム溝であって、該カム溝は、前記第１の側面に平行な基部壁と、該基部壁から前記第１の側面まで延在する前壁及び後壁とを有し、該後壁は、前記カム溝の開口部に近接し、かつそれぞれの摺動部材の長手方向軸に対して角度をなす、誘導面を有し、前記前壁及び後壁は、前記第２のハウジングのカムフォロアポストと係合するように構成されたカム表面を有し、前記後壁のカム表面は、前記誘導面から延在する、カム溝と、前記前壁から後方に延在するブロックショルダであって、該ブロックショルダが、前記カム溝の開口部を部分的にブロックし、前記誘導面及びブロックショルダが、前記第２のハウジングのカムフォロアポストと係合するように構成されている、ブロックショルダと、を有する、一対の摺動部材と、
前記第１のハウジングに枢動可能に取り付けられ、前記摺動部材に摺動可能に連結されたレバーであって、該レバーは、該レバーが前記第１のハウジングの前端部に近接している接合準備完了位置と、前記レバーが前記第１のハウジングの後端部に近接している接合位置との間で移動可能である、レバーと、
を備え、
各摺動部材が垂直溝を含み、前記レバーが、交差部分から下方に延在する一対のアームを含み、各アームが、それぞれの垂直溝内で垂直に摺動可能な突部を含む、電気コネクタ。
【請求項２】
各ブロックショルダが、前記前壁から後方に延在し、かつ前記基部壁及び第１の側面に平行である、側壁と、それぞれの摺動部材の下端部から延在する底壁と、前記基部壁から前記側壁まで外向きに延在する後壁と、を含む、請求項１に記載の電気コネクタ。
【請求項３】
各後壁の誘導面が上方かつ前方に延在し、各ブロックショルダの後壁が、各ブロックショルダの後壁が上方かつ前方に延在するように、それぞれの摺動部材の長手方向軸に対して角度をなす、請求項１に記載の電気コネクタ。
【請求項４】
各ブロックショルダの後壁が、それぞれの摺動部材の長手方向軸に対して角度をなす角度よりも大きいそれぞれの摺動部材の角度で、各誘導面が前記長手方向軸に対して角度をなす、請求項１に記載の電気コネクタ。
【請求項５】
各摺動部材が、前記第１の側面に一対のカム溝を有する、請求項１に記載の電気コネクタ。
【請求項６】
前記第１のハウジングの空洞内に取り付けられた端子保持部分を更に備え、該端子保持部分は、端子が通過する端子ハウジングであって、該端子ハウジングと、開口部を介して前記空洞へアクセスされる前記第１のハウジングとの間に空間が形成される、端子ハウジングと、該端子ハウジングに取り付けられ、前記端子と係合するように構成された第１のシールと、前記端子ハウジングに取り付けられ、前記第２のハウジングと係合するように構成された第２のシールと、を含む、請求項１に記載の電気コネクタ。
【請求項７】
前記端子保持部分は、前記端子ハウジングに取り付けられ、端子が通過し得る独立した２次ロックを更に備え、該独立した２次ロックは、前記端子ハウジングに対して、前記空間内に移動可能であり、更に前記独立した２次ロックは、前記端子ハウジングに対して移動して、前記端子と係合することができる、請求項６に記載の電気コネクタ。
【請求項８】
前記独立した２次ロックは、前記空間と連通しており、かつ前記独立した２次ロックを該端子ハウジングに対して移動させるために、プライツールによって係合される、細長いスロットを内部に含む、請求項７に記載の電気コネクタ。
【請求項９】
前記端子ハウジングが、前記端子と係合するように構成された解放可能なロッキングフィンガを含む、請求項７に記載の電気コネクタ。
【請求項１０】
前記スロットが略Ｔ字形である、請求項８に記載の電気コネクタ。
【請求項１１】
電気コネクタアセンブリであって、
相手側コネクタであって、
ハウジングであって、そこから外向きに延在するカムポストを有し、該カムポストが本体と、そこから延在する突部とを有する、ハウジングと、
を備える、相手側コネクタと、
アクチュエータコネクタであって、
前端部及び対向する後端部を有するハウジングと、
前記アクチュエータコネクタの前記ハウジング上に移動可能に取り付けられた一対の摺動部材であって、各摺動部材は第１の側面及び第２の側面と、前記第１の側面にあり、各摺動部材の下端部から、各摺動部材の前端部に向かって上方かつ前方に延在するカム溝であって、該カム溝は、前記第１の側面に平行な基部壁と、該基部壁から前記第１の側面まで延在し、かつカム表面を形成する前壁及び後壁とを有し、該後壁は、前記カム溝の開口部に近接し、かつそれぞれの摺動部材の長手方向軸に対して角度をなす、誘導面を有し、前記後壁のカム表面は、前記誘導面から延在する、カム溝と、前記前壁から後方に延在するブロックショルダであって、前記カム溝の前記開口部を部分的にブロックする、ブロックショルダと、を有する、一対の摺動部材と、
前記アクチュエータコネクタのハウジングに枢動可能に取り付けられ、前記摺動部材に摺動可能に連結されたレバーであって、該レバーは、該レバーが前記アクチュエータコネクタのハウジングの前端部に近接している接合準備完了位置と、前記レバーが前記アクチュエータコネクタのハウジングの後端部に近接している接合位置との間で移動可能である、レバーと、
を備える、アクチュエータコネクタと、
を備え、
前記本体は、前記誘導面と係合可能であり、前記カム表面と係合可能であり、前記突部は、三日月形であって、前記ブロックショルダと係合可能であり、
前記本体は半径に沿って落下する外面を有し、前記突部は前記本体の半径と同じ半径に沿って落下する曲面を有し、前記外面は前記カム表面と係合可能であり、前記曲面は、前記ブロックショルダ及びカム表面のうちの１つと係合可能である、電気コネクタアセンブリ。
【請求項１２】
前記突部が、前記それぞれの摺動部材の外側の前記ブロックショルダと係合することができる凸面を有する、請求項１１に記載の電気コネクタアセンブリ。
【請求項１３】
前記突部が、前記誘導面と係合することができる凹面を有する、請求項１１に記載の電気コネクタアセンブリ。
【請求項１４】
各摺動部材が一対のカム溝を有する、請求項１１に記載の電気コネクタアセンブリ。
【請求項１５】
電気コネクタであって、
端子が通過することができるコネクタハウジングと、
間に空間が設けられるように、前記コネクタハウジングの空洞内に取り付けられた端子ハウジングであって、前記端子が前記端子ハウジングを通過することができる、端子ハウジングと、
該端子ハウジングに取り付けられ、端子が通過することができる第１のシールであって、前記端子と係合する、第１のシールと、
前記端子ハウジング上に取り付けられ、前記空間内に延在する第２のシールと、
前記端子ハウジング内に着座し、第１の位置にあるときに前記端子が通過することができる、独立した２次ロックであって、該独立した２次ロックは前記第１の位置の空間内に延在し、前記独立した２次ロックは、前記端子ハウジングに対して前記第１の位置から第２の位置へと移動して前記端子と係合することができ、前記独立した２次ロックは、前記空間と連通しており、かつ前記独立した２次ロックを前記端子ハウジングに対して移動させるために、プライツールによって係合され得る、細長いスロットを内部に含む、独立した２次ロックと、
を備え、
前記スロットが略Ｔ字形である、電気コネクタ。
【請求項１６】
前記端子ハウジングが、前記端子と係合するように構成された解放可能なラッチを含む、請求項１５に記載の電気コネクタ。
【発明の詳細な説明】
【技術分野】
【０００１】
本開示は、２０１９年６月２６日に出願された、中国特許出願第２０１９１０５５９０２４．３号に対する優先権を主張し、参照によってその全体が本明細書に組み込まれる。
【０００２】
本開示は、電気コネクタの分野に関し、特に、車両ハーネスに使用され、接合補助機構を有する電気コネクタに関する。
【背景技術】
【０００３】
典型的なレバー式電気コネクタアセンブリは、アクチュエータコネクタを相補的な第２の相手側コネクタと接合及び接合解除するために回転可能に取り付けられる作動又は接合補助レバーを有する第１のアクチュエータコネクタを含む。作動レバー及び相手側コネクタは、典型的には、レバーの回転に応じて、相手側コネクタをアクチュエータコネクタと接合状態に引き込むためのカム溝／カムフォロア装置を有する。
【０００４】
上述の特徴のレバー式電気コネクタの共通の構造は、アクチュエータコネクタの両側に配置された一対のアームを有する略Ｕ字形レバーを提供する。アームは、相手側コネクタの両側にカムフォロア突部又はカムフォロアポストを係合するためのカム溝を有してもよい。
【０００５】
このようなレバー式電気コネクタは、しばしば、一対のコネクタを接合及び接合解除するために大きな力を必要とする場合に使用されている。例えば、コネクタの接合及び接合解除時に生じる端子とハウジングの摩擦力により、手動で操作を行うことが困難となる可能性がある。いくつかのレバー式電気コネクタは、コネクタの接合方向に対して概ね垂直な方向に移動するために、アクチュエータコネクタのハウジング上に摺動可能に取り付けられた摺動部材を使用する。レバーと摺動部材との間に第１のカム溝及びカムフォロア手段が設けられ、レバーの枢動が、アクチュエータコネクタに対する摺動部材の直線運動をもたらす。第２のカム溝及びカムフォロア手段は、摺動部材と第２のコネクタとの間に設けられ、それにより、レバーに応答してコネクタが接合及び接合解除され、摺動部材の並進が生じる。
【発明の概要】
【０００６】
一実施形態では、アクチュエータコネクタは、相手側コネクタのハウジングと接合するように構成されたハウジングと、ハウジング上に移動可能に取り付けられた一対の摺動部材と、ハウジングに枢動可能に取り付けられ、摺動部材に摺動可能に連結されたレバーとを有する。各摺動部材は、傾斜した誘導面をカム溝内に提供する側面にカム溝と、第２のハウジングのカムフォロアポストと係合可能なカム表面と、を有する。ブロックショルダは、カムフォロアポストが正しい位置にない限り、カム溝の開口部を部分的にブロックして、カムフォロアポストの進入を防止する。カムフォロアポストが傾斜誘導面に係合すると、コネクタが第２のハウジングと接合する準備ができているという視覚的及び触覚的指示をユーザに提供する。
【０００７】
別の実施形態では、レバー式電気コネクタアセンブリが提供される。コネクタアセンブリは、そこから外向きに延在するカムポストを有するハウジングを有する相手側コネクタを含む。カムポストは、本体と、本体から延在する突部とを有する。いくつかの実施形態では、突部は三日月形である。コネクタシステムは、相手側コネクタと接合するように構成されたアクチュエータコネクタを更に含む。アクチュエータコネクタは、ハウジングと、ハウジング上に移動可能に取り付けられた一対の摺動部材と、ハウジングに枢動可能に取り付けられ、摺動部材に摺動可能に連結されたレバーとを有する。各摺動部材は、傾斜した誘導面をカム溝内に提供する側面にカム溝と、カムフォロアポストと係合可能なカム表面と、を有する。ブロックショルダは、カムフォロアポストが正しい位置にない限り、カム溝の開口部を部分的にブロックして、カムフォロアポストの進入を防止する。カムフォロアポストが傾斜誘導面に係合すると、アクチュエータコネクタが相手側コネクタと接合する準備ができているという視覚的及び触覚的指示をユーザに提供する。
【０００８】
いくつかの実施形態では、アクチュエータコネクタは、間に空間が提供されるように、コネクタハウジングの空洞内に取り付けられた端子保持部分を含み、端子保持部分は、内部を通過する端子と係合する第１及び第２のロックを有する。端子保持部分は、端子ハウジングと、端子ハウジングに取り付けられた第１のシールと、端子ハウジング上に取り付けられ、空間内に延びる第２のシールと、端子ハウジング内に移動可能に着座した独立した２次ロックとを含む。独立した２次ロックは、端子が端子保持部分を通過することを可能にするために、端子ハウジングに対して第１の位置に、そして空間に移動され得る。独立した２次ロックは、端子に係合するように端子ハウジングに対して第２の位置に移動可能である。独立した２次ロックは、独立した２次ロックを端子ハウジングに対して移動させるために、プライツールによって係合され得る空間と連通している細長いスロットを含む。
【図面の簡単な説明】
【０００９】
本開示は、例として示され、添付図面に限定されるものではなく、ここにおいて、同様の符号は類似の要素を示す。
【００１０】
【図１】レバー式電気コネクタアセンブリの前方分解図を示す。
【図２】部分的に組み立てられた状態のレバー式電気コネクタアセンブリの段階的断面図を示す。
【図２Ａ】図２の部分的に組み立てられた状態のレバー式電気コネクタアセンブリの拡大された部分的な段階的断面図を示す。
【図３】読み取り可能な接合位置にある、レバー式電気コネクタアセンブリの斜視図を示す。
【図４】図３の接合準備完了位置にある、レバー式電気コネクタアセンブリの段階的な断面図を示す。
【図４Ａ】図３及び４の接合準備完了位置にある、レバー式電気コネクタアセンブリの拡大された部分的な段階的断面図を示す。
【図５】図３〜４Ａに示されるものから、更に部分的に組み立てられた状態のレバー式電気コネクタアセンブリの段階的断面図を示す。
【図５Ａ】図５の更に部分的に組み立てられた状態のレバー式電気コネクタアセンブリの拡大された部分的な段階的断面図を示す。
【図６】組み立てられた位置にあるレバー式電気コネクタアセンブリの正面斜視図を示す。
【図７】レバー式電気コネクタアセンブリの分解正面斜視図を示す。
【図８】レバー式電気コネクタアセンブリの相手側コネクタの正面斜視図を示す。
【図９】相手側コネクタの側立面図を示す。
【図１０】上面から見た、レバー式電気コネクタアセンブリのアクチュエータコネクタの外側コネクタハウジングの正面斜視図を示す。
【図１１】底面から見た、外側コネクタハウジングの正面斜視図を示す。
【図１２】レバー式電気コネクタアセンブリのアクチュエータコネクタの摺動部材の斜視図を示す。
【図１３】レバー式電気コネクタアセンブリのアクチュエータコネクタの摺動部材の斜視図を示す。
【図１４】摺動部材のうちの１つの側立面図を示し、相手側コネクタのカムフォロアポストを想像線で示す。
【図１５】摺動部材のうちの１つの部分側立面図を示す。
【図１６】アクチュエータコネクタの一部の断面を示す。
【図１７】上面から見た、アクチュエータコネクタの端子保持部分の正面斜視図である。
【図１８】底面から見た、アクチュエータコネクタの端子保持部分の後側斜視図を示す。
【図１９】端子保持部分の断面を示す。
【図２０】端子保持部分の分解正面斜視図を示す。
【図２１】アクチュエータコネクタの上部端子ハウジングの側立面図を示す。
【図２２】上部端子ハウジングの断面を示す。
【図２３】内部に取り付けられたアクチュエータコネクタの独立した２次ロックを有する上部端子ハウジングの側立面を示す。
【図２４】底から見た、独立した２次ロックの斜視立面を示す。
【図２５】アクチュエータコネクタの断面を示す。
【図２５Ａ】図２５の一部を示すアクチュエータコネクタの拡大された部分的な断面図を示す。
【図２６】レバー式電気コネクタアセンブリの断面を示す。
【発明を実施するための形態】
【００１１】
必要に応じて、添付の図面は、本開示の実施形態を例示し、開示される実施形態は、本開示の単なる例示に過ぎず、様々な形態で具現化され得ることを理解されたい。したがって、本明細書に開示される具体的な詳細は、限定として解釈されるべきではなく、単に特許請求の範囲の基礎として、及び本開示を様々に採用するために当業者に教示するための代表的な基礎として解釈されるべきである。
【００１２】
図面をより詳細に参照し、まず図１、３及び６を参照し、レバー式電気コネクタアセンブリ２０が提供され、第１のアクチュエータコネクタ２２及び第２の相手側コネクタ２４を含む。コネクタ２２、２４は、図１に分離されて、図３に予め接合された又は「接合準備完了」位置に、図６に完全接合位置に示される。レバー式電気コネクタアセンブリ２０の構成要素は、説明を容易にするためだけに特定の向き（「前部」、「後部」、「上部」、「底部」など）に記載されており、使用中に必要な向きを示すものではない。
【００１３】
レバー式電気コネクタアセンブリ２０は、自動車又は他の車両に典型的に使用される密閉されたシステムを提供する。密閉されたシステムとして示されているが、電気コネクタアセンブリはまた、密閉されない用途で使用されてもよい。相手側コネクタ２４は、例えば自動車の電子モジュールシャーシ又はフレームに取り付けられ得るヘッダーコネクタである。したがって、レバー式電気コネクタアセンブリ２０は、高い振動及び衝撃環境での使用に適用可能であるが、レバー式電気コネクタアセンブリ２０は他の用途で使用できる。実際の実施では、振動及び衝撃が極めて深刻である車両のモータシャーシ上で、レバー式電気コネクタアセンブリ２０が直接使用されている。このようなレバー式電気コネクタアセンブリ２０は、主に多数の回路を有するコネクタ上で使用され、コネクタ２２、２４を互いに接合するために必要とされる力がますます高くなる。したがって、レバー式電気コネクタアセンブリ２０は、コネクタ２２、２４を互いに接合するための補助を操作者に提供する。
【００１４】
相手側コネクタ２４は、図１に示すように、アクチュエータコネクタ２２が矢印「Ｍ」の方向に挿入可能である絶縁プラグハウジング２６を含む。図８及び９に最もよく示されるように、プラグハウジング２６は、略矩形であり、その下端部に、上部が開いた空洞３８が形成されるように、基部壁２８の外周から上方に延在する前壁、後壁、及び側壁３０、３２、３４、３６を有する矩形形状の基部壁２８を有する。プラグハウジング２６の長手方向軸４０は、前壁３０から後壁３２まで側壁３４、３６に平行に延在する。
【００１５】
一対の補強リブ４２は、長手方向軸４０に垂直な方向に各側壁３４、３６から外向きに延在し、カムフォロアポスト４４は、長手方向軸４０に垂直な方向に各補強リブ４２から外向きに突出する。各カムフォロアポスト４４は、それぞれの補強リブ４２から外向きに突出し、かつカムフォロアポスト４４の直径を画定する外周面４７を有する、円形本体４６と、本体４６の外面４９から外向きに延在する一対の三日月形突部４８ａ、４８ｂとを有する。それぞれの三日月形突部４８ａ、４８ｂは、長手方向軸４０に概ね平行な、三日月形突部の外側端部の湾曲点５０から内側端部までの長さを有する。湾曲点５０は、本体４６と整列し、本体４６と同じ半径に沿って降下する。各三日月形突部４８ａ、４８ｂの凸面５２は、プラグハウジング２６の上端部に面し、各三日月形突部４８ａ、４８ｂの凹面５４は、プラグハウジング２６の下端部に面している。各カムフォロアポスト４４上の２つの三日月形突部４８ａ、４８ｂは、特定の接合プロセスの間に、三日月形突部４８ａ、４８ｂのうちの１つのみが使用される。２つの三日月形突部４８ａ、４８ｂは、相手側コネクタ２４がアクチュエータコネクタ２２に対していずれかの方向に使用され得るように提供される。加えて、各ポスト上に２つの別個の三日月形突部４８ａ、４８ｂが設けられているが、三日月形突部４８ａ、４８ｂは、それらの内側端部で一緒に接合され得る。
【００１６】
一対の補強リブ５６は、各側壁３４、３６から長手方向軸４０に垂直な方向に外向きに延在し、補強リブ４２の間に配置される。突部５８は、各補強リブ４２から長手方向軸４０に垂直な方向に外向きに延在する。
【００１７】
プラグハウジング２６は、プラスチック材料で成形され得る一体構造である。リップ６０は、基部壁２８から外向きに突出し、アクチュエータコネクタ２２に向かって上向きに面する干渉面を形成する。プラグハウジング２６は、複数の導電端子（図示せず）を取り付ける。
【００１８】
図７は、アクチュエータコネクタ２２の分解図を示す。アクチュエータコネクタ２２は、絶縁性外側コネクタハウジング６２と、コネクタハウジング６２の上部を実質的に覆うワイヤドレスカバー６４と、コネクタハウジング６２に枢着された略Ｕ字形レバー６６と、コネクタハウジング６２に取り付けられた端子保持部分６８と、コネクタハウジング６２及びレバー６６に取り付けられた第１及び第２の摺動部材７０、７２と、ワイヤドレスカバー６４に取り付けられ、かつ図６に示すようにレバー６６が完全接合位置に移動された後にレバー６６と係合するように構成された、コネクタ位置保証装置７４と、を備える。コネクタハウジング６２、レバー６６及び摺動部材７０、７２が協働して接合補助機構を形成する。
【００１９】
図１０及び１１に最もよく示されるように、コネクタハウジング６２は、本体部分７６と、本体部分７６の第１の側から外向きに延在する第１の保持部分７８と、本体部分７６の第２の反対側から外向きに延在する第２の保持部分８０とを有する。コネクタハウジング６２は、プラスチック材料で成形され得る一体構造である。
【００２０】
本体部分７６は、略矩形であり、その上端部に、底部が開いた空洞９２が形成されるように、基部壁８２の外周から下方に延在する前壁８４、後壁８６、及び側壁８８、９０を有する基部壁８２を有する。コネクタハウジング６２の長手方向軸９４は、前壁８４から後壁８６まで側壁８８、９０に平行に延在する。
【００２１】
端子（図示せず）が通過する複数の通路９６が、基部壁８２を通って提供され、長手方向軸９４に対して垂直に延在する。矩形形状の保持リップ９８は、基部壁８２から下方に延在し、前壁８４、後壁８６、及び側壁８８、９０から離間しており、そのため、リップ９８の外側と壁８４、８６、８８、９０との間に、図１６を参照して空間１００が形成され、空洞９２と連通する。相手側コネクタ２４のプラグハウジング２６は、本明細書に記載されるように、空洞９２及び空間１００内に着座する。
【００２２】
各側壁８８、９０は、その下端部から上方に延在する一対の離間した垂直に延在するカムフォロアポスト受容スロット１０２を有する。カムフォロアポスト受容スロット１０２は、相手側コネクタ２４から内部に補強リブ４２を受容し、カムフォロアポスト４４は、本明細書に記載されるように、各側壁８８、９０から外向きに突出する。各側壁８８、９０は、その下端部から上方に延在する一対の垂直に延在する突部受容スロット１０４を更に有する。突部受容スロット１０４は、カムフォロアポスト受容スロット１０２の間にあり、相手側コネクタ２４から内部に補強リブ５６を受容し、突部５８は、本明細書に記載されるように、各側壁８８、９０から外向きに突出する。側壁８８、９０は、そこから外向きに延在する摺動部材保持突部１０６を除いて、平面状である。一実施形態では、摺動部材保持突部１０６は、カムフォロアポスト受容スロット１０２の上方に側壁８８、９０から外向きに延在する。
【００２３】
各保持部分７８、８０は、側壁８８、９０から外側に延在する底壁１０８と、底壁１０８の外側端部から上方に延在する側壁１１０と、側壁１１０を本体部分７６のそれぞれの側壁８８、９０に接続する側壁１１０の前端部及び後端部にある一対の頂壁１１２、１１４とを有する。上部が開いたポケット１１６は、本体部分７６の各保持部分７８、８０及び側壁８８、９０によって形成される。ピボット孔１１８は、各側壁１１０のほぼ中間点で各側壁１１０を通って提供される。摺動部材７０及びレバー６６の一部は、保持部分７８のポケット１１６内に着座し、摺動部材７２及びレバー６６の一部は、本明細書に記載されるように、保持部分８０のポケット１１６内に着座する。
【００２４】
ワイヤドレスカバー６４は、図１を参照して、コネクタハウジング６２の後壁８６と組み合わせて、コネクタハウジング６２内の端子に終端された導体を有する電気ケーブルの進入／退出のための開口部を提供する。可撓性ラッチアーム１２０は、コネクタハウジング６２の基部壁８２から延在する一対の面取りしたラッチボス１２２との係合をラッチするために、ワイヤドレスカバー６４の両側に形成される。
【００２５】
レバー６６は、コネクタハウジング６２上に枢着され、レバー６６とコネクタハウジング６２の本体部分７６の側壁９０との間にそれぞれの摺動部材７０、７２を挟む。レバー６６は、好ましくは成形プラスチック材料で作製される。レバー６６は、相手側コネクタ２４をアクチュエータコネクタ２２と接合状態に引き込むために、図２及び５の矢印「Ｃ」の方向に枢動操作ストロークで回転可能である。図７に示すように、レバー６６は、概ねアクチュエータコネクタ２２の幅にまたがる交差部分１２８によって接合された一対の作動又は接合補助レバーアーム１２４、１２６を含む。各レバーアーム１２４、１２６は、その下端部に、その下端部から外向きに延在し、側壁１１０内のピボット孔１１８と係合するピボットボス１３０を有する。ピボットボス１３０は、組み立て中にピボット孔１１８にスナップ嵌めされる。レバー６６は、ピボットボス１３０の周りでコネクタハウジング６２に対して自由に枢動する。各レバーアーム１２４、１２６は、下端部から上方に離間し、そこから内側に延在する摺動部材係合突部１３２を更に有する。各摺動部材係合突部１３２は、本明細書に記載されるように、それぞれの摺動部材７０、７２と係合する。
【００２６】
コネクタ位置保証装置７４は、図６に示すように、アクチュエータコネクタ２２が相手側コネクタ２４との完全接合位置にあるとき、レバー６６をワイヤドレスカバー６４にロックするために、レバー６６の交差部分１２８と係合可能である。
【００２７】
図１２〜１５に最もよく示されるように、各摺動部材７０、７２は、内側平面側面１３６及び外側平面側面１３８を有し、プレート１３４の前端部１３４ａからプレート１３４の後端部１３４ｂまで延在する長手方向軸１４０を有する、比較的薄いプレート１３４から形成される。各摺動部材７０、７２の内側面１３６には、前及び後離間カム溝１４６が設けられ、各摺動部材７０、７２の外側面１３８には、レバー突部受容溝１４８が設けられている。
【００２８】
各カム溝１４６は、内側面１３６に平行であり、そこから窪んでいる基部壁１５０と、基部壁１５０から内側面１３６まで垂直に外向きに延在する前壁１５２と、基部壁１５０から内側面１３６まで垂直に外向きに延在する後壁１５４とによって形成される。壁１５０、１５２、１５４の後端部には端壁１５６が設けられている。開口部１５８は、プレート１３４の下端部１３４ｃ内の前壁及び後壁１５２、１５４の下端部に設けられる。開口部１５８は、互いに向かって内側に角度をなし、それぞれの前壁及び後壁１５２、１５４への誘導面を形成する前壁及び後壁１６０、１６２によって形成される。後壁１６２は、長手方向軸１４０に対して角度Ａに対して角度をなしている。
【００２９】
各前壁１５２は、開口部１５８の前壁１６０から垂直に上方に延在する第１の下壁部分１６３と、長手方向軸１４０に対して角度Ｂで前方及び上方に延在し、かつ第１の下壁部分１６３の上端部から延在する第２の下壁部分１６４と、下壁部分１６４の上部前方端部から長手方向軸１４０に対して角度Ｃで前方及び上方に延在する上壁部分１６６と、を有する。角度Ｂは角度Ｃよりも大きい。
【００３０】
各後壁１５４は、前方及び上方に延在し、かつ開口部１５８の後壁１６２の上端部から延在する本体４６の半径に等しい半径線に沿って湾曲した下壁部分１６８と、その接線に沿って下壁部分１６８の上部前方端部から前方及び上方に延在する上壁部分１７０と、を有する。各カム溝１４６において、後壁１５４の上壁部分１７０は、前壁１５２の上壁部分１６６と平行であり、上壁部分１６６、１７０の間に形成された空間は、本体４６の直径とほぼ等しい。後壁１６２は、第１の下壁部分１６３の後方にある。下壁部分１６８は、第２の下壁部分１６４及び上壁部分１６６の後方にある。各カム溝１４６において、第１の下壁部分１６３と、後壁１６２と下壁部分１６８との接合部との間に形成される空間は、本体４６の直径とほぼ等しい。
【００３１】
各カム溝１４６において、ブロックショルダ１７２は、ブロックショルダ１７２の下端部と後壁１６２との間のプレート１３４の下端部１３４ｃに２次開口部１７４が形成されるように、前壁１５２から後方かつ基部壁１５０から外向きに延在する。各ブロックショルダ１７２は、前壁１６０及び壁部分１６３、１６４から後方に延在し、かつ基部壁１５０及び内側面１３６に平行である、側壁１７６と、プレート１３４の下端部１３４ｃから延在し、かつ平面である底壁１７８と、基部壁１５０から側壁１７６まで外向きに延在する後壁１８０と、を有する。側壁１７６は、三日月形突部４８ａがそれぞれのカムフォロアポスト４４の本体４６から外向きに突出する距離に等しい距離で、基部壁１５０から離間される。後壁１８０は、長手方向軸１４０に対して角度Ｃでプレート１３４の下端部１３４ｃから前方及び上方に延在する下壁部分１８２と、下壁部分１８２の上部前方端部から角度Ｃで前方及び上方に延在する上壁部分１８４とを有する。上壁部分１８４の前方端部は、上壁部分１６６と合流する。角度Ｄは、角度Ａ及びＢよりも大きい。各カム溝１４６において、下壁部分１８２と下壁部分１６８との間に形成される空間は、本体４６の直径とほぼ等しい。
【００３２】
各摺動部材７０、７２の外側面１３８にあるレバー突部受容溝１４８は、プレート１３４の頂面１３４ｄから垂直に下方に延在する。レバー突部受容溝１４８は、前方カム溝１４６の長手方向後方かつ、後方カム溝１４６の長手方向前方にある。
【００３３】
例えば図２に示されるように、摺動部材７０、７２がコネクタハウジング６２と組み立てられるとき、摺動部材７０、７２は、摺動部材保持突部１０６の下にある頂面１３６ｄを有するそれぞれのポケット１１６内に着座し、摺動部材７０、７２の内側面１３６は、コネクタハウジング６２のそれぞれの側壁８８、９０と係合し、摺動部材７０、７２の外側面１３８は、コネクタハウジング６２のそれぞれの保持部分７８、８０の側壁１１０に面するが、そこから離間している。レバー６６のアーム１２４は、摺動部材７０の外側面１３８と側壁１１０との間に保持部分７８のポケット１１６内に着座し、摺動部材係合突部１３２は摺動部材７０のレバー突部受容溝１４８内に係合し、アーム１２４上のピボットボス１３０は、保持部分７８の側壁１１０のピボット孔１１８内に係合される。レバー６６のアーム１２６は、摺動部材７２の外側面１３８と側壁１１０との間に保持部分８０のポケット１１６内に着座し、摺動部材係合突部１３２は摺動部材７２のレバー突部受容溝１４８内に係合し、アーム１２６上のピボットボス１３０は、保持部分８０の側壁１１０のピボット孔１１８内に係合される。
【００３４】
端子保持部分６８は、本明細書に記載されるように、本体部分７６の空洞９２内に着座する。
【００３５】
図１、２、３、５及び６は、以下の詳細な説明における参照目的のためにレバー６６の様々な位置を示す。図１は、その接合解除又は予備位置にあるレバー６６を示す。図３は、中間の、接合準備完了位置にあるレバー６６を示す。図５は、部分的に接合された位置にあるレバー６６を示す。図６は、その完全接合位置にあるレバー６６を示す。図２、２Ａ、４、４Ａ５、及び５Ａは、前方カムフォロアポスト４４（これらの図に左に示される）が、後方カムフォロアポスト４４（これらの図において右側に示される）とは異なる断面で示されて、カムフォロアポスト４４と摺動部材７２との相互作用を示す段階的な断面を示す。
【００３６】
レバー式電気コネクタアセンブリ２０を組み立てるために、アクチュエータコネクタ２２は、図１に示すように矢印「Ｍ」によって示される方向に移動して、相手側コネクタ２４と係合する。レバー６６は、交差部分１２８がコネクタハウジング６２の前壁８４に近接するように、図１に示される位置にある。相手側コネクタ２４のプラグハウジング２６は、本体部分７６の開放底部を通って空洞９２内へと通過する。
【００３７】
補強リブ４２は、カムフォロアポスト受容スロット１０２内に摺動し、補強リブ５６は突部受容スロット１０４内に摺動する。カムフォロアポスト４４及び突部５８は、側壁８８、９０から外向きに、それぞれの保持部分７８、８０のポケット１１６内へと延在する。これは、初期に、相手側コネクタ２４とアクチュエータコネクタ２２とを互いに接続する。突部５８は、それぞれの摺動部材７０、７２の内側面１３６と係合し、対向する側壁３４、３６上のカムフォロアポスト４４は、各摺動部材７０、７２のプレート１３４の下端部１３４ｃと係合する。
【００３８】
カム溝１４６に入るために、カムフォロアポスト４４の本体４６の外周面４７は、まず、図４及び４Ａに示されるように摺動部材７０、７２の後壁１６２と係合する必要がある。図２に示すこの位置の前に、レバー６６は第１の位置にある。
【００３９】
図４及び４Ａは、摺動部材７０の後壁１６２と係合する本体４６の外周面４７の位置を示す。この位置では、カムフォロアポスト４４の本体４６は、ブロックショルダ１７２から離間している。本体４６の外周面４７が後壁１６２と係合すると、レバー６６は矢印「Ｃ」によって示される方向に回転して、相手側コネクタ２４が接合準備完了位置にあるという視覚的及び触覚的指示を操作者に提供する。レバー６６は、垂直レバー突部受容溝１４８内の摺動部材係合突部１３２の移動によって、摺動部材係合突部１３２の周りを回転する。これは、レバー６６を図６に示す最終的な完全接合位置まで前進させることができることを操作者に示す。
【００４０】
カムフォロアポスト４４の本体４６が後壁１６２から後方にオフセットされるようにプラグハウジング２６が挿入される場合、三日月形突部４８ａは、ブロックショルダ１７２と係合する。三日月形突部４８ａの凸面５２は、ブロックショルダ１７２の底壁１７８と係合してもよく、本体４６の外面４９は、ブロックショルダ１７２の側壁１７６に係合してもよく、又は三日月形突部４８ａの湾曲点５０は、それぞれのブロックショルダ１７２の底壁１７８と下壁部分１８２との間の接合部に係合してもよい。この位置では、カムフォロアポスト４４は、カム溝１４６内に入ることをブロックショルダ１７２によってブロックされる。カムフォロアポスト４４は、カムフォロアポスト４４が正しい位置にあるときのみ、カム溝１４６内に入ることができる。ブロックショルダ１７２によって形成されたブロックを除去するために、レバー６６は、レバー６６がコネクタハウジング６２の後壁８６に向かって回転するように、矢印「Ｃ」の方向に回転される。レバー６６がそのように回転されると、摺動部材係合突部１３２が摺動部材７０のレバー突部受容溝１４８内で枢動し、レバー突部受容溝１４８の後壁に当接するので、摺動部材７０、７２は長手方向に移動する。三日月形突部４８ａがブロックショルダ１７２との係合を解除すると、レバー６６は矢印「Ｃ」によって示される方向と反対の方向に回転して、三日月形突部４８ａがブロックショルダ１７２との係合を解除し、相手側コネクタ２４が接合準備完了位置にあることをユーザに視覚的に示す。これにより、カムフォロアポスト４４の本体４６の外周面４７が後壁１６２と係合する。
【００４１】
図４位置の後、図４Ａが達成され、レバー６６は矢印「Ｃ」の方向に回転され、それにより、図５及び６に示されるように、交差部分１２８は、コネクタハウジング６２の前壁８４の近辺から移動して、コネクタハウジング６２の後壁８６の近辺に移動する。レバー６６が回転されると、これによってカムフォロアポスト４４がカム溝１４６に沿って移動し、摺動部材係合突部１３２がレバー突部受容溝１４８に沿って垂直に移動する。三日月形突部４８ａは、２次開口部１７４を通過し、本体４６は開口部１５８を通過する。三日月形突部４８ａの凹面５４は、図５及び５Ａに示されるように下壁部分１８２と係合し、傾斜した下壁部分１８２に沿って摺動する。本体４６の外面４９は、側壁１７６に係合し、それを覆って摺動してもよい。レバー６６が更に回転すると、カムフォロアポスト４４の本体４６の外周面４７は、湾曲した下壁部分１６８と係合する。レバー６６が更に回転すると、本体４６の外周面４７及びカムフォロアポスト４４の湾曲点５０は、上壁部分１６６、１７０と係合し、それに沿って移動する。その結果、レバー６６が回転すると、摺動部材７０、７２は長手方向後方に移動する。壁部分１６８、１６６、１７０は、係合し移動するためのカムフォロアポスト４４のカム表面を形成する。
【００４２】
レバー６６は、図６に示されるように、相手側コネクタ２４との完全接合位置にあるコネクタ位置保証装置７４を使用して、ワイヤドレスカバー６４にロックされる。アクチュエータコネクタ２２が相手側コネクタ２４と完全に接合されると、カムフォロアポスト４４はカム溝１４６の端壁１５６に近接し、摺動部材係合突部１３２は、レバー突部受容溝１４８の下端部に近接する。
【００４３】
アクチュエータコネクタ２２が相手側コネクタ２４と完全接合位置にあるとき、図２６に示すように、プラグハウジング２６の壁３０、３２、３４、３６の上端部は本体部分７６の空間１００内に着座する。リップ６０は、本体部分７６の壁８４、８６、８８、９０の下端部に係合する。
【００４４】
相手側コネクタ２４は、コネクタ位置保証装置７４がレバー６６及びワイヤドレスカバー６４から分離された後に、矢印「Ｃ」によって示される方向と反対の方向にレバー６６を回転させることによって、アクチュエータコネクタ２２から分離することができる。レバー６６が矢印「Ｃ」によって示される方向と反対の方向に回転されると、交差部分１２８はコネクタハウジング６２の後壁８６の近辺からコネクタハウジング６２の前壁８４の近辺に移動する。レバー６６が回転されると、これによってカムフォロアポスト４４がカム溝１４６に沿って移動し、摺動部材係合突部１３２がレバー突部受容溝１４８に沿って垂直に移動する。本体４６の外周面４７及びカムフォロアポスト４４の湾曲点５０は、上壁部分１６６、１７０と係合し、それに沿って移動する。レバー６６が更に回転すると、カムフォロアポスト４４の本体４６の外周面４７は、湾曲した下壁部分１６８と係合する。本体４６の外面４９は、側壁１７６に係合し、それを覆って摺動してもよい。三日月形突部４８ａの凹面５４は、下壁部分１８２と係合し、傾斜した下壁部分１８２に沿って摺動する。三日月形突部４８ａは次いで、２次開口部１７４を通過し、本体４６は開口部１５８を通過する。その結果、レバー６６が回転すると、摺動部材７０、７２は長手方向前方に移動する。
【００４５】
図１７〜２５に示されるように、端子保持部分６８は、上部端子ハウジング１９０及び下部端子ハウジング１９２と、マットシール１９４と、外周シール１９６と、独立した２次ロック１９８と、下部カバー２００とを含む端子ハウジングを含む。上部端子ハウジング１９０、下部端子ハウジング１９２、独立した２次ロック１９８及び下部カバー２００は絶縁体で形成され、プラスチックから成形されてもよい。マットシール１９４及び外周シール１９６は、エラストマー材料で形成される。
【００４６】
図２１及び２２に最もよく示されるように、上部端子ハウジング１９０は、略矩形であり、その外周から上方及び下方に延在する前壁２０４、後壁２０６、及び側壁２０８、２１０を有する矩形形状の基部壁２０２を有し、そのため、上部が開いた上部空洞２１２が基部壁２０２の上方に形成され、底部が開いた下部空洞２１４が基部壁２０２の下に形成される。上部端子ハウジング１９０の長手方向軸は、前壁２０４と後壁２０６との間に延在する。基部壁２０２は、その上面から下面まで延在し、かつ長手方向軸に垂直である、複数の開口部２１６を含む。側壁２０８は、該側壁２０８に沿って長手方向に延在し、かつ下部空洞２１４と連通する、細長いスロット２１８を有する。前方ラッチアーム２２０は、前壁２０４からスロット２１８内へと後方に延在する。後方ラッチアーム２２２は、後壁２０６からスロット２１８内へと前方に延在する。各ラッチアーム２２０、２２２は可撓性であり、その端部に有棘端部２２４を有する。有棘端部２２４は互いに対向している。側壁２１０は、側壁２０８に沿って長手方向に延在し、かつ下部空洞２１４と連通する、細長いスロット２２６を有する。スロット２１８、２２６は、互いに垂直に整列されている。ショルダ２２８は、スロット２１８、２２６の上の壁２０４、２０６、２０８、２１０内に形成される。
【００４７】
図２２及び２５を参照して、マットシール１９４は、上部空洞２１２内に、かつ基部壁２０２の上面に近接して着座する。マットシール１９４は平坦であり、その上面から下面まで延在する複数の開口部２３０を有する。マットシール１９４は、壁２０４、２０６、２０８、２１０の内面を密閉する。
【００４８】
図２２及び２５を参照して、下部端子ハウジング１９２は、スロット２１８、２２６の下の下部空洞２１４内に着座する。下部端子ハウジング１９２は平坦であり、その上面から下面まで延在する複数の開口部２３２を有する。各開口部２３２は、内部に延在し、かつ１次ロックを形成するために端子と係合するように構成された、可撓性ロッキングフィンガ２３４を有する。
【００４９】
図２２及び２５を参照して、下部カバー２００は、下部端子ハウジング１９２の下の下部空洞２１４内に着座する。下部カバー２００は平坦であり、その上面から下面まで延在する複数の開口部２３６を有する。下部カバー２００と下部端子ハウジング１９２との間、及び下部カバー２００と上部端子ハウジング１９０との間に好適なラッチが設けられて、下部端子ハウジング１９２及び下部カバー２００を上部端子ハウジング１９０内に保持する。
【００５０】
端子のノーズ部分に形成された協働する表面と係合する前方に位置するショルダ部分を含む、下部端子ハウジング１９２又は下部カバー２００内に、止め面が形成される。ショルダ部分は、端子保持部分６８内への各端子の挿入を制限する前止まり部を形成する。
【００５１】
端子がマットシール１９４、基部壁２０２、下部端子ハウジング１９２及び下部カバー２００を通って挿入され得るように、開口部２１６、２３０、２３２、２３６は互いに整列する。
【００５２】
図１９を参照して、外周シール１９６は、上部端子ハウジング１９０の壁２０４、２０６、２０８、２１０の周りに延在し、ショルダ２２８上及びショルダ２２８の上方に位置する。外周シール１９６は、その外面上に複数のリブを有する。
【００５３】
端子保持部分６８がコネクタハウジング６２と組み立てられるとき、マットシール１９４は、コネクタハウジング６２の基部壁８２及び該基部壁８２を通る通路９６に近接し、開口部２１６、２３０、２３２、２３６は互いに整列する。上部端子ハウジング１９０の壁２０４、２０６、２０８、２１０は、図２５を参照して、空間２３８が提供されるように、コネクタハウジング６２の壁８４、８６、８８、９０から離間している。外周シール１９６は、空間２３８内に延在する。
【００５４】
図２１及び２５を参照して、独立した２次ロック１９８は、下部空洞２１４内及びスロット２１８、２２６内に取り付けられ、基部壁２０２の下面と下部端子ハウジング１９２の上面との間にある。独立した２次ロック１９８は、矩形形状の基部壁２４０と、独立した２次ロックの前端から上方に延在する前壁２４２と、独立した２次ロックの後端から上方に延在する後壁２４４と、基部壁２４０の側縁部から上方に延在し、かつ前壁２４２、２４４と後壁２４２、２４４との間に延在する、側壁２４６と、を有する。壁２４０、２４２、２４４は、上部が開いた３面空洞２４７を形成する。側壁２４６は、基部壁２４０から上方に延在する第１の垂直壁部分２４８と、第１の垂直壁部分２４８から外向きに延在し、かつそれに対して垂直である、第２の水平壁部分２５０と、第２の壁部分２５０の外側端部から下方に延在し、それに対して垂直であり、かつ細長いスロット２５４が側壁２４６によって形成されるように、第１の壁部分２４８に対して平行である、第３の垂直壁部分２５２と、を有する。断面図では、図２５Ａに示すように、スロット２５４はＴ字形である。基部壁２４０は、その上面から下面まで延在する複数の開口部２５６を有する。前壁及び後壁２４２、２４４のそれぞれは、側壁２４６に近接して前壁及び後壁から外向きに延在する突部２５８を有する。
【００５５】
独立した２次ロック１９８を端子保持部分６８の残りの部分と組み立てるために、独立した２次ロック１９８は、上部端子ハウジング１９０のスロット２１８を通って、下部空洞２１４内に、かつ第１の位置に挿入される。上部端子ハウジング１９０の基部壁２０２は、独立した２次ロック１９８の３面空洞２４７内に着座し、独立した２次ロック１９８の側壁２４６の内面は、上部端子ハウジング１９０の基部壁２０２の側面に係合する。ラッチアーム２２０、２２２は、有棘端部２２４が突部２５８と係合するときにスロット２１９から外向きに屈曲するが、突部２５８が有棘端部２２４を通過すると、ラッチアーム２２０、２２２は定位置に跳ね返る。この第１の位置では、端子は端子保持部分６８を貫通することができず、独立した２次ロック１９８内の開口部２５６を形成する壁は、マットシール１９４、上部端子ハウジング１９０、下部端子ハウジング１９２及び下部カバー２００内の整列した開口部２１６、２３０、２３２、２３６をブロックする。
【００５６】
端子保持部分６８が組み立てられると、端子保持部分６８がコネクタハウジング６２の空洞９２に挿入されてアクチュエータコネクタ２２を形成し、空間２３８が形成される。図２５を参照して、下部開口部２６０は、アクチュエータコネクタ２２の下端部に形成されている。好適なラッチ構造は、端子保持部分６８をコネクタハウジング６２内に保持するために、上部端子ハウジング１９０とコネクタハウジング６２との間に提供される。
【００５７】
アクチュエータコネクタ２２を通る端子の通過を可能にするために、独立した２次ロック１９８内の開口部２５６が、整列した開口部２１６、２３０、２３２、２３６と整列するように、独立した２次ロック１９８内の開口部２５６を形成する壁が、マットシール１９４、上部端子ハウジング１９０、下部端子ハウジング１９２及び下部カバー２００内の整列した開口部２１６、２３０、２３２、２３６と整列されないように、独立した２次ロック１９８は上部端子ハウジング１９０に対して第２の位置にシフトされなければならない。これに影響を及ぼすために、下部開口部２６０を通って空間２３８内に、プライツール（図示せず）が挿入される。プライツールは、フック付き端部を有し、スロット２５４内に係合し、独立した２次ロック１９８の壁部分２５２と係合することができる。図２５に示す図では、独立した２次ロック１９８をプライツールによって引っ張り、独立した２次ロックを右に、かつ第２の位置へとシフトさせ、プライツールが除去される。この第２の位置への移動中に、十分な力が独立した２次ロック１９８に及ぼされ、独立した２次ロック１９８上の突部２５８がラッチアーム２２０、２２２を外向きに付勢して、独立した２次ロック１９８が空間２３８内に延び、それによって、マットシール、上部端子ハウジング１９０、独立した２次ロック１９８、下部端子ハウジング１９２及び下部カバー２００内の開口部２１６、２３０、２５６、２３２、２３６が整列することを可能にする。その後、ここで整列された開口部２１６、２３０、２５６、２３２、２３６を通って端子が挿入される（端子を挿入するためにワイヤドレスカバー６４を除去する必要がある）。マットシール１９４は、端子と密閉的に係合して、水分及びデブリバリアを提供し、密閉されたシステムを提供するのを支援する。端子は、該端子が下部端子ハウジング１９２内のロッキングフィンガ２３４と係合するまで前進する。
【００５８】
端子の挿入が完了すると、独立した２次ロック１９８は、プライツールを使用することによって、第２の位置から第１の位置に戻る。プライツールは、再び下部開口部２６０を通って空間２３８内に挿入され、スロット２５４内に係合され、独立した２次ロック１９８の壁部分２４８と係合される。図２５に示す図では、独立した２次ロック１９８は、独立した２次ロックを右にシフトさせるために、プライツールによって押される。独立した２次ロック１９８が第１の位置に戻された後、プライツールが除去される。ワイヤドレスカバー６４が取り付けられる。独立した２次ロック１９８内に開口部２５６を形成する壁は、端子上に形成された協働する止め面と係合する止め面を形成する。これは、アクチュエータコネクタ２２内の端子を更にロックし、端子がアクチュエータコネクタ２２から引き出されることを更に制限する２次ロックを提供する。第１の位置では、独立した２次ロック１９８は、上部端子ハウジング１９０の外向きに突出しない。
【００５９】
時々、端子を整備する必要があり得、そのような場合、端子をアクチュエータコネクタ２２から取り外す必要がある。端子は、ワイヤドレスカバー６４を取り外し、下部端子ハウジング１９２内のロッキングフィンガ２３４を解放し、独立した２次ロック１９８を本明細書に記載される第２の位置にシフトし、マットシール１９４、上部端子ハウジング１９０、独立した２次ロック１９８、下部端子ハウジング１９２及び下部カバー２００内の整列された開口部２１６、２３０、２５６、２３２、２３６から端子を引き出すことによって、アクチュエータコネクタ２２から取り外すことができる。その後、本明細書に記載される方法で、新しい端子をアクチュエータコネクタ２２に再挿入することができる。
【００６０】
相手側コネクタ２４がアクチュエータコネクタ２２内に挿入されると、プラグハウジング２６の壁３０、３２、３４、３６は、開口部２６０を通って空間２３８に入る。壁３０、３２、３４、３６は、外周シール１９６と密閉的に係合し、それによって完全に密閉されたシステムが提供される。
【００６１】
本明細書に個別に開示又は特許請求されている本明細書に開示された特徴の組み合わせを含む、レバー式電気コネクタアセンブリ２０及び／又はその構成要素、そのような特徴の追加の組み合わせ、あるいは他の種類のコンタクトアレイコネクタを明示的に含む、多くの変形及び変更などの、当業者には容易に明らかであろう上述の例示された実施形態の多くの修正が存在することが理解されるであろう。また、材料及び構成には多くの可能な変形が存在する。
【００６２】
本明細書で提供される開示は、その好ましい実施形態及び例示的な実施形態の観点から特徴を説明する。当業者には、添付の特許請求の範囲及び趣旨の範囲内での修正及び変形が、本開示を検討することにより想起されるであろう。
【図１】
0006980842.tif 000002
【図２】
0006980842.tif 000003
【図２Ａ】
0006980842.tif 000004
【図３】
0006980842.tif 000005
【図４】
0006980842.tif 000006
【図４Ａ】
0006980842.tif 000007
【図５】
0006980842.tif 000008
【図５Ａ】
0006980842.tif 000009
【図６】
0006980842.tif 000010
【図７】
0006980842.tif 000011
【図８】
0006980842.tif 000012
【図９】
0006980842.tif 000013
【図１０】
0006980842.tif 000014
【図１１】
0006980842.tif 000015
【図１２】
0006980842.tif 000016
【図１３】
0006980842.tif 000017
【図１４】
0006980842.tif 000018
【図１５】
0006980842.tif 000019
【図１６】
0006980842.tif 000020
【図１７】
0006980842.tif 000021
【図１８】
0006980842.tif 000022
【図１９】
0006980842.tif 000023
【図２０】
0006980842.tif 000024
【図２１】
0006980842.tif 000025
【図２２】
0006980842.tif 000026
【図２３】
0006980842.tif 000027
【図２４】
0006980842.tif 000028
【図２５】
0006980842.tif 000029
【図２５Ａ】
0006980842.tif 000030
【図２６】
0006980842.tif 000031